(57)【特許請求の範囲】
【請求項１】
蓋部を備える外筐体と、
上記蓋部を閉蓋状態に維持するロック手段と、
スピンドルモータと、
上記スピンドルモータによって回転駆動される駆動軸と、
中心部に設けた嵌合孔を上記駆動軸に嵌合して取り付けられ、上記スピンドルモータによって回転操作されるディスクテーブルと、
上記ディスクテーブルの回転に連動して第１の位置と第２の位置との間に亘って移動される第１のレバーと、
上記第１のレバーが第１の位置に位置するときに操作された場合には、上記第１のレバーと係合することで上記ロック手段のロックを解除し、上記第１のレバーが上記第２位置に位置するときに操作された場合には、上記第１のレバーと非係合とされる操作手段と
を有することを特徴とするディスク記録及び／又は再生装置。
【請求項２】
上記ディスク記録及び／又は再生装置は、さらに、上記第１のレバーと連結された第２のレバーと、上記第１のレバーと第２のレバーとが一体に移動可能であるとともに、上記第１のレバーを上記第２のレバーに対し回動可能に連結する付勢部材とを備えていることを特徴とする請求項１記載のディスク記録及び／又は再生装置。
【請求項３】
上記ディスク記録及び／又は再生装置は、さらに、上記第１のレバーが上記第１の位置にあるときには、上記第１のレバーが第１の位置方向に付勢されるように、上記第１のレバーが上記第２の位置にあるときには、上記第１のレバーが第２の位置方向に付勢されるように上記第１のレバーを付勢する二方向付勢バネを備えることを特徴とする請求項１記載のディスク記録及び／又は再生装置。
【請求項４】
上記操作手段は、第１の操作部材と第２の操作部材とを備え、
上記第１のレバーが上記第１の位置にあるとき、上記第１のレバーの先端が上記第１の操作部材と上記第２の操作部材の間に介在され、上記第１の操作部材が操作されることで、上記第１の操作部材が上記第１のレバーの先端と係合し、上記第１のレバーが回動することで上記第２の操作部材が移動操作されて上記ロック手段のロックを解除することを特徴とする請求項１記載のディスク記録及び／又は再生装置。
【発明の詳細な説明】
【技術分野】
【０００１】
本発明は、ディスクを回転操作するディスクテーブルの回転を利用して、ディスクのイジェクトを制御を行うようにしたディスクプレーヤ等の記録及び／又は再生装置に関する。
【背景技術】
【０００２】
従来、光ディスクや光磁気ディスクの如き記録ディスクを記録媒体として用いて、情報信号の記録または再生を行うように構成されたディスクプレーヤが提案されている。
【０００３】
このようなディスクプレーヤにおいて、記録ディスクは、中央部に設けた円形の位置決め孔（チャッキング孔）を基準として位置決めされて保持される。すなわち、ディスクプレーヤは、位置決め孔に嵌入される位置決め突起を有し、スピンドルモータにより回転操作されるディスクテーブルを有している。このディスクテーブルは、位置決め突起を記録ディスクの位置決め孔に嵌合させることにより、この記録ディスクを位置決めして保持し、スピンドルモータにより回転操作されることにより、記録ディスクを回転操作する。
【０００４】
ディスクプレーヤにおいて、ディスクテーブルに保持されて回転操作される記録ディスクは、光学ピックアップ装置により、情報信号の書き込み、または、読み出しが行われる。
【０００５】
そして、ディスクプレーヤには、記録ディスクに対する情報信号の書き込みや読み出しが行われている間においては、この記録ディスクをディスクテーブルより取り外すイジェクト操作を禁止するように構成されたイジェクト機構が設けられている。
【０００６】
このイジェクト機構は、図１０に示すように、第１のイジェクトスライダ１１７と第２のイジェクトスライダ１１８とを有している。これらイジェクトスライダ１１７，１１８は、ディスクプレーヤの筐体の外側面に沿ってスライド可能に取り付けられている。
【０００７】
上記第１のイジェクトスライダ１１７には、手動によりスライド操作するためのイジェクトノブ１１６が設けられている。このイジェクトノブ１１６を操作して、第１のイジェクトスライダ１１７を図１０中の矢印ｃ方向にスライドさせると、この第１のイジェクトスライダ１１７は、イジェクト仲介レバー１１１を介して、図１０中矢印ｄ方向に第２のイジェクトスライダ１１８をスライドさせる。
【０００８】
すなわち、第１のイジェクトスライダ１１７は、イジェクト仲介レバー１１１のイジェクト仲介片１１５を押圧してイジェクト仲介レバー１１１を移動させ、イジェクト仲介片１１５を介して第２のイジェクトスライダ１１８を押圧して移動する。この第１のイジェクトスライダ１１７は、第２のイジェクトスライダ１１８を直接押圧する位置まではスライドできないようになされており、イジェクト仲介片１１５を介在させなければ、第２のイジェクトスライダ１１８をスライドさせることができない。
【０００９】
第２のイジェクトスライダ１１８は、スライド操作されると、このディスクプレーヤの筐体の蓋部を開蓋させる等の操作を行い、記録ディスクをディスクテーブルより取り外すイジェクト操作を実行する。
【００１０】
イジェクト仲介レバー１１１は、ディスクプレーヤの筐体内に配設されたイジェクト禁止レバー１０６上に移動可能に配設され、イジェクト仲介片１１５を、筐体の外方側に突出させて第１及び第２のイジェクトスライダ１１７，１１８間に進入させている。
【００１１】
このイジェクト仲介レバー１１１は、支持孔１１０，１１０を有し、これら支持孔１１０，１１０にイジェクト禁止レバー１０６上に植設された支軸１０９，１０９を挿通させることにより、イジェクト禁止レバー１０６上に配設されている。このイジェクト仲介レバー１１１は、バネ掛止部１１３を有し、このバネ掛止部１１３とイジェクト禁止レバー１０６のバネ掛止部１１２との間に張架された引っ張りコイルバネ１１４により、イジェクト仲介片部１１５を各イジェクトスライダ１１７，１１８間に進入させる方向の図１０中矢印ｂ方向に付勢されて位置決めされている。
【００１２】
イジェクト禁止レバー１０６は、支持スリット１０８，１０８を有し、これら支持スリット１０８，１０８に筐体内に設けられた支軸１０７，１０７を挿通させることにより、イジェクト仲介片１１５を各イジェクトスライダ１１７，１１８の間に対して進退させる方向の図１０中矢印ａ方向にスライド可能に支持されている。
【００１３】
そして、イジェクト禁止スライダ１０６は、筐体内に配設されたイジェクト禁止モータ１０１により、スライド操作される。すなわち、イジェクト禁止モータ１０１の駆動軸には、駆動ギヤ１０２に取り付けられている。この駆動ギヤ１０２には、伝達ギヤ１２０が噛合している。この伝達ギヤ１２０には、ウォームギヤ１０３が同軸に一体的に取り付けられている。このウォームギヤ１０３は、ウォームホイール１０４に噛合している。このウォームホイール１０４には、従動ギヤ１１９が同軸に一体的に取り付けられている。この従動ギヤ１１９は、イジェクト禁止レバー１０６に形成されたラックギヤ１０５に噛合している。
【００１４】
このディスクプレーヤは、記録ディスクに対する情報信号の書き込みや読み出しが行われている間においては、イジェクト禁止モータ１０１は、イジェクト禁止レバー１０６を、イジェクト仲介片１１５が各イジェクトスライダ１１７，１１８の間より退出した位置にスライドさせている。このとき、第１のイジェクトスライダ１１７は、スライド操作されても、第２のイジェクトスライダ１１８をスライドさせることができず、イジェクト操作を実行することができない。
【００１５】
そして、このディスクプレーヤは、記録ディスクに対する情報信号の書き込みや読み出しが行われていないときには、イジェクト禁止モータ１０１は、イジェクト禁止レバー１０６を、イジェクト仲介片部１１５が各イジェクトスライダ１１７，１１８の間に進入する位置にスライドさせる。このとき、第１のイジェクトスライダ１１７は、スライド操作されると、第２のイジェクトスライダ１１８をスライドさせ、イジェクト操作を実行させる。
【発明の開示】
【発明が解決しようとする課題】
【００１６】
上述のようなディスクプレーヤは、スピンドルモータの他に、イジェクト禁止モータや、光学ピックアップ装置、磁気ヘッド装置を移動操作するためのモータが必要となる。その結果、用いるモータの数が多くなり、装置構成が複雑化し、大型化してしまう。
が招来されている。
【００１７】
一のモータの駆動力を複数の用途に使用することができれば、装置の構成に要するモータの数を減らすことができるが、上述のディスクプレーヤにおいては、各モータの駆動力はそれぞれの専用の用途に使用されており、モータの数を減らすことができない。
【００１８】
そこで、本発明は、上述の実情に鑑みて提案されるものであって、スピンドルモータの駆動力を記録ディスクの回転操作の他の用途にも使用することができるようにし、用いるモータの数を削減可能とするディスク記録及び／又は再生装置を提供することを目的とする。
【課題を解決するための手段】
【００１９】
上述したような目的を達成するための提案される本発明が適用されたディスク記録及び／又は再生装置は、蓋部を備える外筐体と、上記蓋部を閉蓋状態に維持するロック手段と、
スピンドルモータと、上記スピンドルモータによって回転駆動される駆動軸と、中心部に設けた嵌合孔を上記駆動軸に嵌合して取り付けられ、上記スピンドルモータによって回転操作されるディスクテーブルと、上記ディスクテーブルの回転に連動して第１の位置と第２の位置との間に亘って移動される第１のレバーと、上記第１のレバーが第１の位置に位置するときに操作された場合には、上記第１のレバーと係合することで上記上記ロック手段のロックを解除し、上記第１のレバーが上記第２位置に位置するときに操作された場合には、上記第１のレバーと非係合とされる操作手段とを有する。
【００２０】
本発明に係るディスク記録及び／又は再生装置は、さらに、上記第１のレバーと連結された第２のレバーと、上記第１のレバーと第２のレバーとが一体に移動可能であるとともに、上記第１のレバーを上記第２のレバーに対し回動可能に連結する付勢部材とを備えている。
【００２１】
本発明に係るディスク記録及び／又は再生装置は、さらに、上記第１のレバーが上記第１の位置にあるときには、上記第１のレバーが第１の位置方向に付勢されるように、上記第１のレバーが上記第２の位置にあるときには、上記第１のレバーが第２の位置方向に付勢されるように上記第１のレバーを付勢する二方向付勢バネを備える。
【００２２】
本発明に係るディスク記録及び／又は再生装置に用いられる上記操作手段は、第１の操作部材と第２の操作部材とを備え、上記第１のレバーが上記第１の位置にあるとき、上記第１のレバーの先端が上記第１の操作部材と上記第２の操作部材の間に介在され、上記第１の操作部材が操作されることで、上記第１の操作部材が上記第１のレバーの先端と係合し、上記第１のレバーが回動することで上記第２の操作部材が移動操作されて上記ロック手段のロックを解除する。
【発明の効果】
【００２３】
本発明は、記録ディスクを回転操作するディスクテーブルの回転を利用して、外筐体に設けられた蓋部を閉蓋状態に維持するロック手段を制御することにより、蓋部のロックを制御するロック手段を操作するための駆動モータの削減を図り、機構の簡素化を図り、装置全体の小型化を図ることができる。
【発明を実施するための最良の形態】
【００２４】
以下、本発明の具体的な実施例を図面を参照しながら説明する。
【００２５】
この例は、本発明を、ディスクカートリッジを用いて情報信号の記録及び再生を行うディスクプレーヤに適用した例である。
【００２６】
このディスクプレーヤに用いるディスクカートリッジは、光ディスクや光磁気ディスクの如き情報信号が記録される記録ディスクをカートリッジに回転可能に収納したものである。
【００２７】
このディスクプレーヤにおいて情報信号の記録媒体として使用される記録ディスクである光磁気ディスクは、直径が例えば６４ｍｍ程度のポリカーボネイトの如き透明合成樹脂材料よりなるディスク基板に、磁性材料からなる信号記録層が被着形成されて構成されている。
【００２８】
この信号記録層は、集光されたレーザビームの照射等の手段により局所的にいわゆるキュリー温度以上に加熱され、この加熱された部分に外部磁界が印加されることにより、情報信号の書き込みがされる。このように書き込まれた情報信号は、信号記録層にレーザビームの如き光束を照射し、この光束の反射光束を検出することにより読み出しが行われる。
【００２９】
また、このディスクプレーヤ装置に使用される記録ディスクである光ディスクは、光磁気ディスクのディスク基板と同様のディスク基板に、アルミニウムの如き金属材料よりなる反射層を被着形成して構成されている。この光ディスクのディスク基板には、射出成形等の手段により、情報信号に対応した微細なピット列が形成されている。
【００３０】
この光ディスクに書き込まれている情報信号は、ピット列にレーザビームの如き光束を照射し、この光束の反射光束を検出することにより読み出しが行われる。
【００３１】
そして、光磁気ディスク及び光ディスクは、図６乃至図９に示すように、カートリッジ２０５，２１６に回転可能に収納されて、ディスクカートリッジを構成している。
【００３２】
光磁気ディスクを収納した記録再生兼用ディスクカートリッジ２２０を構成する上記カートリッジ２０５は、一辺の長さが光磁気ディスクの直径に略々対応した矩形状の主面部を有する薄い筐体状に構成されている。このカートリッジ２０５は、図６に示すように、上面側の主面部に、光磁気ディスクの信号記録面の一部を外方に臨ませるための磁気ヘッド用開口部２２３を有している。また、このカートリッジ２０５は、図７に示すように、下面側の主面部の磁気ヘッド用開口部２２３に対向する位置に光学ピックアップ用開口部２２２を有し、この下面側の主面部の略々中央部分にチャッキング用開口部２１３を有している。この記録再生兼用ディスクカートリッジ２２０は、ディスクプレーヤに対して、図６及び図７中矢印Ｍで示す方向の前方に挿入されて装着される。
【００３３】
記録再生兼用ディスクカートリッジ２２０のカートリッジ２０５に設けられた磁気ヘッド用開口部２２３及び光学ピックアップ用開口部２２２は、シャッタ部材２０６によって開閉可能とされている。このシャッタ部材２０６は、これら開口部２２３，２２２に対応した互いに平行に相対向するシャッタ板と、これらシャッタ板の一端側同士間を連結する連結部とを有し、合成樹脂材料または金属材料により、一体的に構成されている。このシャッタ部材２０６は、連結部を、カートリッジ２０５の一側部に形成された支持溝２０７に摺動可能に支持させている。すなわち、シャッタ部材２０６は、カートリッジ２０５の一側部に沿って後方にスライドされることにより各開口部２２３，２２２を開蓋し、後方側より前方にスライドされて初期位置に復帰されると上シャッタ板により各開口部２２３，２２２を閉蓋する。
【００３４】
そして、光ディスクを収納した再生専用ディスクカートリッジ２２１を構成するカートリッジ２１６は、一辺の長さが光ディスクの直径に略々対応した矩形状の主面部を有する薄い筐体状に構成されている。このカートリッジ２１６は、図８に示すように、上面側の主面部には、開口部を有していない。このカートリッジ２１６は、図９に示すように、下面側の主面部に光学ピックアップ用開口部２２２を有し、この下面側の主面部の略々中央部分にチャッキング用開口部２１３を有している。この再生専用ディスクカートリッジ２２１は、ディスクプレーヤに対して、図８及び図９中矢印Ｍで示す方向の前方に挿入されて装着される。
【００３５】
再生専用ディスクカートリッジ２２１のカートリッジ２１６において、光学ピックアップ用開口部２２２は、シャッタ部材２１７によって開閉可能とされている。このシャッタ部材２１７は、光学ピックアップ用開口部２２２に対応したシャッタ板と、このシャッタ板の一端側に設けられた支持部とを有し、合成樹脂材料または金属材料により、一体的に構成されている。このシャッタ部材２１７は、支持部を、カートリッジ２１６の一側部に形成された支持溝２０７に摺動可能に支持させている。すなわち、シャッタ部材２１７は、カートリッジ２１６の一側部に沿って後方にスライドされることにより光学ピックアップ用開口部２２２を開蓋し、後方側より前方にスライドされて初期位置に復帰されるとシャッタ板により光学ピックアップ用開口部２２２を閉蓋する。
【００３６】
各シャッタ部材２０６，２１７には、連結部または支持部の略々中央位置に、側方側に向けて、シャッタ閉蓋孔２０８が開設されている。このシャッタ閉蓋孔２０８は、ディスクプレーヤに装着されるとき各シャッタ部材２０６，２１７を閉蓋操作するための部材が係合するためのものである。
【００３７】
光磁気ディスク及び光ディスクの中心部には、円形の位置決め孔（チャッキング孔）２０４が開設されている。この位置決め孔２０４は、上面側より、チャッキングプレート２０２により閉蓋されている。このチャッキングプレート２０２は、鉄やステンレスの如き、磁性を有する金属材料により、位置決め孔２０４に対応した直径の円盤状に形成されている。これら位置決め孔２０４及びチャッキングプレート２０２は、チャッキング用開口部２１３を介して、各カートリッジ２０５，２１６の外方に臨んでいる。
【００３８】
そして、各カートリッジ２０５，２１６の下側主面部には、対をなす前方側及び後方側位置決め穴２０９，２１０が形成されている。前方側位置決め穴２０９は、光学ピックアップ用開口部２２２の前方側の主面部の縁部近傍に位置しており、長径方向が前後方向となされた長円形に形成されている。また、後方側位置決め穴２１０は、光学ピックアップ用開口部２２２の後方側の主面部の縁部近傍に位置しており、円形に形成されている。
【００３９】
また、各カートリッジ２０５，２１６の下側主面部後方側の他側側の縁部近傍には、複数の識別用穴２２４が形成されている。これら識別用穴２２４は、これらカートリッジ２０５，２１６に収納されているディスクの種別や状態、例えば情報信号の記録が可能か否かを識別するためのものである。記録再生兼用ディスクカートリッジ２２０のカートリッジ２０５内には、識別用穴２２４に対応して、後側面部にセーブノッチ２１４が設けられている。このセーブノッチ２１４は、移動操作されることにより、識別用穴２２４のうちの一の内部に進退し、この識別用穴２２４の深さを変えて、情報信号の記録可否の識別状態を切り換える。さらに、これら各カートリッジ２０５，２１６の下側主面部前方側の他側側の縁部には、被係合凹部２１２が形成されている。
【００４０】
記録再生兼用ディスクカートリッジ２２０のカートリッジ２０５には、下側主面部の前方側縁部に、光磁気ディスク識別凹部２１１が形成されている。また、再生専用ディスクカートリッジ２２１のカートリッジ２１６には、下側主面部の前方側縁部に、光ディスクディスク識別凹部２１８が形成されている。これら光磁気ディスク識別凹部２１１と光ディスク識別凹部２１８とは、互いに下側主面部よりの深さが異なっており、この深さの違いにより、収納されているディスクが光磁気ディスクであるか光ディスクであるかを表示している。
【００４１】
そして、本発明が適用されたディスクプレーヤは、図２に示すように、各ディスクカートリッジ２２０，２２１の大きさに対応した大きさのシャーシ１８を有している。
【００４２】
シャーシ１８上には、各ディスクカートリッジ２２０，２２１が位置決めされて装着される。すなわち、シャーシ１８は、上面部に前後一対の位置決めピンを有し、これら位置決めピンを各位置決め穴２０９，２１０に対応させて嵌合させることにより、各ディスクカートリッジ２２０，２２１を位置決めする。
【００４３】
各ディスクカートリッジ２２０，２２１のシャーシ１８上への装着は、このシャーシ１８の上方側にこのシャーシ１８に対して接離可能に配設された図示しないカートリッジホルダにディスクカートリッジ２２０，２２１を挿入することにより行われる。すなわち、シャーシ１８より離間させたカートリッジホルダに対してディスクカートリッジ２２０，２２１を挿入し、このカートリッジホルダに保持させ、そして、このカートリッジホルダをシャーシ１８に近接させることにより、ディスクカートリッジ２２０，２２１は、シャーシ１８上に装着される。
【００４４】
なお、ディスクカートリッジ２２０，２２１は、カートリッジホルダに挿入操作されたとき、シャッタ部材２０６，２１７が開蓋操作される。
【００４５】
そして、このディスクプレーヤは、カートリッジホルダの上方側に、開閉可能な図示しない蓋部を有している。この蓋部は、閉蓋操作されることにより、カートリッジホルダをシャーシ１８に近接させ、このカートリッジホルダが保持しているディスクカートリッジ２２０，２２１をシャーシ１８上に装着する。この蓋体は、閉蓋状態においてロックされ、後述するイジェクト操作によってロックを解除する。
【００４６】
また、蓋部は、開蓋操作されることにより、カートリッジホルダをシャーシ１８より離間させ、このカートリッジホルダに保持されいるディスクカートリッジ２２０，２２１をシャーシ１８より離脱させる。
【００４７】
シャーシ１８上の中央部には、記録ディスクを回転操作するためのディスクテーブル１０が配設されている。このディスクテーブル１０は、図１に示すように、シャーシ１８に取り付けられたスピンドルモータ１の駆動軸であるスピンドル軸２に取り付けられている。ディスクテーブル１０は、円盤形状に形成され、中心部にスピンドル軸２に嵌合させるための嵌合孔１１が設けられている。このディスクテーブル１０は、嵌合孔１１にスピンドル軸２を嵌合させることにより、このスピンドル軸２に取り付けられる。したがって、ディスクテーブル１０は、スピンドル軸２が回転駆動されると、このスピンドル軸２とともに回転操作される。
【００４８】
このディスクテーブル１０は、記録ディスクが載置される上面部に、記録ディスク２０１に設けた位置決め孔２０４に嵌合する位置決め突起部１２が設けされている。この位置決め突起部１２は、円錐台形状に形成され、位置決め孔２０４に円滑に嵌入するように形成されている。この位置決め突起部１２は、スピンドル軸２が嵌合する嵌合孔１１と中心軸を一致させて形成されている。
【００４９】
また、位置決め突起部１２は、外周縁部に、図２及び図３に示すように、弾性変位部１７が設けられている。この弾性変位部１７は、位置決め突起部１２の外方側に向けて突出されて配設され、弾性変位されることにより、位置決め突起部１２の外周面に対して出没する。すなわち、弾性変位部１７は、位置決め突起部１２が記録ディスク２０１の位置決め孔２０４に嵌入すると、この位置決め孔２０４の内周部を弾性的に押圧して記録ディスク２０１をディスクテーブルに保持させる。
【００５０】
位置決め突起部１２の上面部には、円環状のマグネット１３が配設されるマグネット装着凹部１４が形成されている。このマグネット装着凹部１４は、マグネット１３の形状に対応する円環状に形成されている。
【００５１】
位置決め突起部１２の外周側は、フランジ状に突設され、記録ディスク２０１の位置決め孔２０４の周囲が載置されるディスク載置部１５とされている。
【００５２】
そして、ディスクテーブル１０の外周縁部には、ギヤ部１６が形成されている。このギヤ部１６は、位置決め突起部１２と同軸に形成されている。
【００５３】
ディスクカートリッジ２２０，２２１がシャーシ１８上に装着されたときには、このディスクカートリッジ２２０，２２１に収納された記録ディスク２０１は、図１に示すように、チャッキング用開口部２１３を介して、位置決め孔２０４に位置決め突起部１２を嵌合させ、この位置決め孔２０４の周囲をディスク載置部１５上に載置させた状態で、ディスクテーブル１０上に位置決めされて保持される。このとき、マグネット１３はチャッキングプレート２０２を、図１中矢印Ａ方向に吸引し、記録ディスク２０１をディスクテーブル１０上に保持する。
【００５４】
スピンドルモータ１は、外筒部８を有し、この外筒部８を、シャーシ１８に対して、固定ネジ９により固定して取り付けられている。このスピンドルモータ１は、スピンドル軸２がシャーシ１８に対して垂直に立設された状態となるように、シャーシ１８に取り付けられている。
【００５５】
このスピンドルモータ１において、スピンドル軸２は、外筒部８内に配設され、回転軸受け（ベアリング）３，３を介して、外筒部８に取り付けられた支持部材４により、回転可能に支持されている。このスピンドルモータ１において、スピンドル軸２には、それぞれ円環状の多磁極マグネット６が取り付けられた一対の円盤状のヨーク部材５，５が取り付けられている。これら各ヨーク部材５，５は、各多磁極マグネット６，６を互いに対向させている。これら多磁極マグネット６，６間には、駆動コイルが取り付けられたプリント基板７が介在配設されている。このプリント基板７は、外筒部８により支持されており、この外筒部８の外方側に位置する接続端子部２２まで延在されている。
【００５６】
このスピンドルモータ１は、プリント基板７上に取り付けられた駆動コイルに接続端子部２２を介して駆動電流を供給することにより、スピンドル軸２を、正転方向及び逆転方向のいずれの方向にも選択的に回転操作することができる。
【００５７】
そして、このディスクプレーヤ装置には、シャーシ１８上に光学ピックアップ装置１９が配設されている。光学ピックアップ装置１９は、光学ブロック部を有し、この光学ブロック部内に、レーザダイオードの如き光源、この光源が発する光束を導く種々の光学デバイス、該光束を集光させて射出する対物レンズ、及び、対物レンズより射出された光束の反射光束を検出する光検出器を内蔵している。
【００５８】
この光学ピックアップ装置１９は、記録ディスク２０１の信号記録面に、対物レンズより射出する光束を照射することにより、記録ディスク２０１に対する情報信号の書き込み、または、読み出しを行う。
【００５９】
そして、光学ピックアップ装置１９は、シャーシ１８上において、ディスクテーブルに対し接離する方向の図２中矢印Ｔ方向に移動可能に配設されている。この光学ピックアップ装置１９は、シャーシ１８上に配設されたピックアップ送りモータ２０の駆動力により、駆動力伝達部材となるスクリューシャフト２１を介して送り操作される。
【００６０】
光学ピックアップ装置１９は、シャーシ１８上を送り操作されることにより、光学ピックアップ用開口部２２２を介して、ディスクテーブルに保持されて回転操作される記録ディスク２０１の信号記録領域に対して、情報信号の書き込み、または、読み出しを行う。
【００６１】
なお、光学ピックアップ装置１９には、対物レンズに対向する図示しない磁気ヘッド装置が取り付けられている。ディスクカートリッジ２２０，２２１がシャーシ１８上に装着されたとき、記録ディスク２０１は、対物レンズと磁気ヘッド装置との間に位置される。この磁気ヘッド装置は、磁気ヘッド用開口部２２３を介して、記録ディスク２０１に臨む。
【００６２】
そして、本発明に係るディスクプレーヤは、図３乃至図５に示すように、蓋体の閉蓋状態におけるロックを解除してディスクテーブルに保持された記録ディスク２０１をこのディスクテーブル１０より取り外すイジェクト操作を可能とするイジェクト機構が設けられている。
【００６３】
また、このディスクプレーヤは、図３乃至図５に示すように、ギヤ部１６を介してディスクテーブル１０の回転力をイジェクト機構のイジェクト操作を制御するイジェクト制御機構に伝達する駆動力伝達機構が設けられている。
【００６４】
イジェクト機構は、イジェクト操作機構により操作される。このイジェクト操作機構は、シャーシ１８にスライド可能に支持された第１のイジェクト操作部材を構成する第１のイジェクトスライダ４３と第２のイジェクト操作部材を構成する第２のイジェクトスライダ４４とを備える。これら各イジェクトスライダ４３，４４は、ディスクプレーヤの筐体の外側面に沿ってスライド可能に支持されている。
【００６５】
第１のイジェクトスライダ４３には、手動によりスライド操作するためのイジェクトノブ４２が設けられている。このイジェクトノブ４２を操作し、第１のイジェクトスライダ４３を図３中矢印Ｋ方向の一方向にスライドさせると、第１のイジェクトスライダ４３は、イジェクト仲介レバー４０を介して、第２のイジェクトスライダ４４を、図３中矢印Ｌ方向にスライドさせる。
【００６６】
すなわち、第１のイジェクトスライダ４３は、イジェクト仲介レバー４０のイジェクト仲介片４１を押圧してこのイジェクト仲介レバー４０を移動させ、イジェクト仲介片４１を介して第２のイジェクトスライダ４４を押圧して移動する。第１のイジェクトスライダ４３は、第２のイジェクトスライダ４４を直接押圧する位置まではスライドできないようにされ、イジェクト仲介片４１を介在させることにより第２のイジェクトスライダ４４のスライドを可能とする。
【００６７】
第２のイジェクトスライダ４４は、イジェクト仲介片４１を介してスライド操作されると、蓋部を閉蓋状態に維持するロックを解除させ、カートリッジホルダをシャーシ１８より離間させて記録ディスク２０１をディスクテーブルより離脱させるイジェクト操作を可能とする。
【００６８】
イジェクト仲介レバー４０は、シャーシ１８上に配設されたイジェクト禁止レバー３３上に移動可能に配設され、イジェクト仲介片４１を、筐体の外方側に突出させて第１及び第２のイジェクトスライダ４３，４４間に進退させる。このイジェクト仲介レバー４０とイジェクト禁止レバー３３は、イジェクト機構のイジェクト操作を制御ずるイジェクト制御機構を構成する。
【００６９】
イジェクト仲介レバー４０は、図３、図４、図５に示すように、イジェクト禁止レバー３３上に延長される垂直部４０ａと、この垂直部４０ａに対し直角に延長された延長部４０ｂとを有し、全体で略Ｌ字状に形成されている。垂直部４０ａの先端側にイジェクト仲介片４１を突設している。このイジェクト仲介レバー４０は、垂直部４０ａに支持孔３９が設けられ、この支持孔３９にイジェクト禁止レバー３３上に植設された支軸３８を挿通させてイジェクト禁止レバー３３上に配設されている。このイジェクト仲介レバー４０は、バネ掛止部４９を有し、このバネ掛止部４９とイジェクト禁止レバー３３のバネ掛止部４８との間に張架された引っ張りコイルバネ４７により、イジェクト仲介片４１を各イジェクトスライダ４３，４４間に進入させる方向の図３中矢印Ｊ方向に付勢されて位置決めされている。
【００７０】
イジェクト仲介レバー４０は、引っ張りコイルバネ４７により図３中矢印Ｊ方向に付勢されて位置決めされていることから、イジェクト禁止レバー３３と一体に移動可能とされている。
【００７１】
イジェクト禁止レバー３３は、支持スリット３６，３７を有し、これら支持スリット３６，３７にシャーシ１８上に設けられた支軸３４，３５を挿通させることにより、このシャーシ１８上をスライド可能に支持されている。このイジェクト禁止レバー３３は、図３に示すように、イジェクト仲介片４１を各イジェクトスライダ４３，４４の間に進入させる第１の位置であるイジェクト許可位置と、図５に示すように、イジェクト仲介片４１を各イジェクトスライダ４３，４４の間より退出させる第２の位置であるイジェクト禁止位置とに亘ってスライド可能とされている。
【００７２】
イジェクト仲介レバー４０の延長部４０ｂの先端部には、図３、図４，図５に示すように、トグルバネ掛止部４６が設けられている。このトグルバネ掛止部４６には、二方向付勢バネであるトグルバネ４５の一方のアーム部が掛止されている。このトグルバネ４５の他方のアーム部は、シャーシ１８上の掛止部に掛止されている。
【００７３】
トグルバネ４５は、各アーム間の間隔を広げる方向の弾性力を有し、イジェクト仲介レバー４０に設けたトグルバネ掛止部４６とシャーシ１８の掛止部との間に介在配設されている。
【００７４】
そして、イジェクト仲介レバー４０のトグルバネ掛止部４６とシャーシ１８の掛止部との間の間隔は、イジェクト禁止レバー３３が第１の位置であるイジェクト許可位置と第２の位置であるイジェクト禁止位置との中間である中間位置にあるときに最も狭くなるようにされている。すなわち、イジェクト禁止レバー３３がイジェクト許可位置、または、イジェクト禁止位置にあるときには、このイジェクト禁止レバー３３のトグルバネ掛止部４６とシャーシ１８の掛止部との間の間隔は、イジェクト禁止レバー３３が中間位置にあるときよりも広い。
【００７５】
したがって、トグルバネ４５は、イジェクト禁止レバー３３が中間位置よりもイジェクト許可位置側にあるときには、イジェクト禁止レバー３３を図３中矢印Ｈ方向のイジェクト許可位置側に移動付勢し、イジェクト禁止レバー３３が中間位置よりもイジェクト禁止位置側にあるときには、このイジェクト禁止レバー３３を図５中矢印Ｇ方向のイジェクト禁止位置側に移動付勢する。
【００７６】
このディスクプレーヤにおいて、記録ディスクに対する情報信号の書き込みや読み出しが行われているときには、イジェクト禁止レバー３３は、図５に示すように、後述する駆動力伝達機構により、第２の位置であるイジェクト禁止位置にスライドされている。このとき、第１のイジェクトスライダ４３は、図５中矢印Ｋ方向の第２のイジェクトスライダ４４側にスライド操作されても、第２のイジェクトスライダ４４をスライドさせることができず、イジェクト操作を実行することができない。
【００７７】
そして、このディスクプレーヤにおいて、記録ディスクに対する情報信号の書き込みや読み出しが行われていないときには、イジェクト禁止レバー３３は、図３に示すように、後述する駆動力伝達機構により、イジェクト許可位置にスライドされる。このとき、第１のイジェクトスライダ４３は、図３中矢印Ｋ方向の第２のイジェクトスライダ４４側にスライド操作されると、イジェクト仲介片４１を介して、第２のイジェクトスライダ４４を図３中矢印Ｌ方向にスライドさせ、イジェクト操作を可能とする。
【００７８】
そして、駆動力伝達機構は、ディスクテーブル１０の回転力をイジェクト禁止レバー３３に伝達するギヤ列を有している。
【００７９】
すなわち、駆動力伝達機構は、シャーシ１８上に回転可能に支持されてディスクテーブル１０のギヤ部１６に噛合している第１の伝達ギヤ２３を有している。第１の伝達ギヤ２３には、この第１の伝達ギヤ２３よりも小径の第２の伝達ギヤ２４が同軸に一体的に取り付けられている。この第２の伝達ギヤ２４には、シャーシ１８上に回転可能に支持された第３の伝達ギヤ２５が噛合している。この第３の伝達ギヤ２５には、この第３の伝達ギヤ２５よりも小径の第４の伝達ギヤ２６が同軸に一体的に取り付けられている。この第４の伝達ギヤ２６には、シャーシ１８上に回転可能に支持された第５の伝達ギヤ２７が噛合している。この第５の伝達ギヤ２７には、この第５の伝達ギヤ２７よりも小径の第６の伝達ギヤ２８が同軸に一体的に取り付けられている。
【００８０】
そして、第５の伝達ギヤ２７には、回動レバー２９が、摩擦部材を介して回動可能に取り付けられている。この回動レバー２９は、基端側を、第５の伝達ギヤ２７の支軸回りに回動可能に支持されている。すなわち、この回動レバー２９は、第５の伝達ギヤ２７の回転方向に追従する方向に、この第５の伝達ギヤ２７より摩擦部材を介して駆動力を伝達されて回動操作される。
【００８１】
回動レバー２９の先端側には、第７の伝達ギヤ３１が回転可能に取り付けられている。この第７の伝達ギヤ３１は、第６の伝達ギヤ２８に噛合している。
【００８２】
そして、第７の伝達ギヤ３１は、イジェクト禁止レバー３３に設けられたラックギヤ３２に噛合する。このラックギヤ３２は、イジェクト禁止レバー３３のスライド可能方向に沿って形成されている。
【００８３】
イジェクト禁止レバー３３は、イジェクト許可位置とイジェクト禁止位置とに亘って、中間位置を０点として、例えば±２ｍｍの範囲内でスライド可能となっている。このイジェクト禁止レバー３３のスライド可能距離をＸ（ｍｍ）（すなわち、±（Ｘ／２）（ｍｍ））とし、ラックギヤ３２の長さをＬ（ｍｍ）とし、回動レバー２９の回動による第７の伝達ギヤ３１の移動距離をＰ（ｍｍ）とすると、Ｐ＞（Ｌ−Ｘ）≧０が成立している。
【００８４】
そして、第７の伝達ギヤ３１は、図３に示すように、イジェクト禁止レバー３３がイジェクト許可位置であるときにラックギヤ３２よりもイジェクト禁止位置側となってこのラックギヤ３２に噛合しない位置より、図５に示すように、イジェクト禁止レバー３３がイジェクト禁止位置であるときにラックギヤ３２よりもイジェクト許可位置側となってこのラックギヤ３２に噛合しない位置に亘って、移動可能となっている。
【００８５】
第７の伝達ギヤ３１は、図３及び図４に示すように、イジェクト禁止レバー３３がイジェクト許可位置であるときに、スピンドルモータ１によりディスクテーブルが記録ディスク２０１に対する情報信号の記録または再生が行われるときの回転方向である図４中矢印Ｄで示す正転方向に回転されると、第６の伝達ギヤ２８が図４中矢印Ｅで示す逆転方向に回転操作されることにより、ラックギヤ３２に噛合しつつイジェクト許可位置側に移動し、次いで、図５中矢印Ｆで示す方向にさらに回転操作されることにより、イジェクト禁止レバー３３をイジェクト禁止位置側に移動させる。このとき、イジェクト禁止レバー３３は、上記中間位置を越えてイジェクト禁止位置側に移動されることにより、トグルバネ４５の付勢力により、図５中矢印Ｇで示す方向のイジェクト禁止位置側にスライド操作される。
【００８６】
すなわち、イジェクト制御機構は、図５に示すように、ディスクテーブル１０が正転方向に回転されているときには、イジェクト機構による記録ディスクのイジェクト操作を禁止する。
【００８７】
そして、第７の伝達ギヤ３１は、図５に示すように、イジェクト禁止レバー３３がイジェクト禁止位置であるときに、スピンドルモータ１によりディスクテーブル１０が正転方向の逆方向である図３中矢印Ｂで示す逆転方向に回転されると、第６の伝達ギヤ２８が図３中矢印Ｃで示す正転方向に回転操作されることにより、ラックギヤ３２に噛合しつつイジェクト禁止位置側に移動し、次いで、イジェクト禁止レバー３３をイジェクト許可位置側に移動させる。このとき、イジェクト禁止レバー３３は、中間位置を越えてイジェクト許可位置側に移動されることにより、トグルバネ４５の付勢力により、図３中矢印Ｈで示すように、該イジェクト許可位置にスライド操作される。
【００８８】
すなわち、このイジェクト機構は、図３に示すように、ディスクテーブル１０が図３中矢印Ｂで示す逆転方向に回転されたときには、イジェクト操作を可能とする。
【図面の簡単な説明】
【００８９】
【図１】本発明に用いられるディスクテーブルを示す縦断面図である。
【図２】本発明に係るイジェクト機構が適用されたディスクプレーヤの要部構成を透視して示す平面図である。
【図３】ディスクプレーヤが停止モード中にある状態を一部を透視して示す要部平面図である。
【図４】ディスクプレーヤが記録モード開始時にある状態を一部を透視して示す要部平面図である。
【図５】ディスクプレーヤが記録モード中にある状態を一部を透視して示す要部平面図である。
【図６】ディスクプレーヤにおいて使用される記録再生兼用ディスクカートリッジを上面側より臨んだ斜視図である。
【図７】記録再生兼用ディスクカートリッジを底面側より臨んだ斜視図である。
【図８】ディスクプレーヤにおいて使用される再生専用ディスクカートリッジを上面側より臨んだ斜視図である。
【図９】再生専用ディスクカートリッジを底面側より臨んだ斜視図である。
【図１０】従来のディスクプレーヤの要部構成を示す平面図である。
【符号の説明】
【００９０】
２  スピンドル軸、１０  ディスクテーブル、１６ ギヤ部、３３  イジェクト禁止レバー、４０  イジェクト仲介レバー、４１  イジェクト仲介片、４３  第１のイジェクトスライダ、４４  第２のイジェクトスライダ、  ４５  トグルバネ
【図１】
0003928661.tif 000002
【図２】
0003928661.tif 000003
【図３】
0003928661.tif 000004
【図４】
0003928661.tif 000005
【図５】
0003928661.tif 000006
【図６】
0003928661.tif 000007
【図７】
0003928661.tif 000008
【図８】
0003928661.tif 000009
【図９】
0003928661.tif 000010
【図１０】
0003928661.tif 000011